(57)【特許請求の範囲】
【請求項１】
略Ｌ字状に成形されると共に挿通孔が穿設されてなる硬質ゴム製の弾性基材の内面側と外面側に、略Ｌ字状に成形されると共に前記挿通孔に符合する位置に締着孔が穿設されてなる補強板材を一体に固着した耐震補強材であって、
前記弾性基材の内面と外面とに、前記補強板材の肉厚相当の窪みがそれぞれ形成され 、これらの窪みに前記補強板材が前記弾性基材の面と同一面をなすようにそれぞれ嵌め 込まれ、前記弾性基材に一体に固着されている
耐震補強材。
【請求項２】
前記弾性基材はＥＰＤＭ（エチレンプロピレンターポリマー）からなる、請求項１に記載の耐震補強材。
【請求項３】
前記補強板材は高張力鋼からなる、請求項１又は２に記載の耐震補強材。
【発明の詳細な説明】
【０００１】
【発明の属する技術分野】
本発明は、地震、台風等により木造建築物に強度の振動が負荷されても崩壊しないように、交差して接続されている建築構造材の接合部に取付けてこれを補強することを目的とする耐震補強材に関する。
【０００２】
【従来の技術】
従来、木造建築物の構造材の接合部を補強する方法としては、筋かいや火打梁を設けたり、かすがい、Ｌ型金具を取付けるなど種々の方法が採用されている。
しかし、このような方法では、地震、台風等により強度の振動が負荷された場合の補強効果は十分ではなく、接合部で構造材が簡単に離反したり破損したりして、木造建築物がその接合部において破壊したり、酷い場合には倒壊してしまうこともあった。
【０００３】
そこで、地震、台風等による強度の振動に耐え得るものとして、図５に斜視図で示すような補強金具５１が考案され、使用されている。
この補強金具５１は、高張力鋼よりなる板材をＬ字状に折曲すると共に、両片部５２１，５２２の各々の中間部に外側に折曲した折曲膨出部５２１ａ，５２２ａを各々形成したＬ形基材５２を設け、このＬ形基材５２の折曲角部５２３に高張力鋼よりなる板材を折曲した補強部材５３を溶接により固着し、上記Ｌ形基材５２の四ヶ所に吸震ゴム等よりなる緩衝部材５４を係着したものである。
【０００４】
これによれば、Ｌ形基材５２全体及びその折曲膨出部５２１ａ，５２２ａにより、垂直、水平両方向の振動がある程度吸収されるが、Ｌ形基材５２の変形を確実に復元させるには不十分であり、木造建築物に強い振動が負荷された場合、建築構造材相互の接合部において破損する虞れがある。
【０００５】
【発明が解決しようとする課題】
上記補強金具５１は、両片部５２１，５２２の中間部を外側に折曲して平坦な折曲膨出部５２１ａ，５２２ａを形成してあるので、垂直方向の振動、鉛直回りの揺動を吸収したり、Ｌ形基材５２の変形を復元させる等の作用効果が不十分であると共に、Ｌ形基材５２に補強部材５３を溶接により固着して、Ｌ形基材５２の折曲角部５２３と補強部材５３の折曲角部５３１とを隙間なく密着させてあるために、弾性変形量が少なくなり、補強部材５３の各部に過大な集中負荷がかかり、締結用のボルトが飛んだり補強部材５３に亀裂が生じたりするという問題があった。
【０００６】
本発明は、かかる問題点を解決すべく為されたものであって、地震、台風等により、建築構造材の交差接合部に水平方向や鉛直方向に強い揺動を生じてもこれを吸収して、木造建築物の耐震性能を一層向上させるようにした耐震補強材を提供することを目的とする。
【０００７】
【課題を解決するための手段】
本発明は、上記課題を解決するためのものであって、略Ｌ字状に成形すると共に挿通孔を穿設してなる硬質ゴム製の弾性基材の内面側と外面側に、略Ｌ字状に成形すると共に前記挿通孔に符合する位置に締着孔を穿設してなる補強板材を一体に固着したことを特徴とする耐震補強材である。
【０００８】
【発明の実施の形態】
以下、本発明の耐震補強材の好適な実施形態について、図面に基づき具体的に説明する。
図１は、本発明の耐震補強材を示す斜視図、図２は、図１のＸ−Ｘ線矢視断面図、図３は、本発明品を示す展開斜視図、図４は、本発明品の使用状態を示す斜視図である。
【０００９】
本発明は、図示したように、交差する柱構造材Ａ−１と梁、桁構造材Ａ−２の相互間を接合する耐震補強材１であって、略Ｌ字状に成形すると共に挿通孔１１３を穿設してなる硬質ゴム製の弾性基材１１の内面側と外面側に、略Ｌ字状に成形すると共に前記挿通孔１１３に符合する位置に締着孔１２３を穿設してなる補強板材１２を一体に固着したことを特徴とするものである。
【００１０】
そして、前記硬質ゴム製の弾性基材１１が、エチレンプロピレンターポリマー（ＥＰＤＭ）からなるものであることを特徴とし、又、前記弾性基材１１の内面側と外面側に一体に固着される補強板材１２が、高張力鋼からなるものであることを特徴とするものである。
【００１１】
本発明で、硬質ゴム製の弾性基材１１が有する弾発緩衝効果と、高張力鋼からなる補強板材１２が有する機械的強度との相乗効果により、交差する柱構造材Ａ−１と梁、桁構造材Ａ−２の相互間の接合が強化されるので、地震や台風等により木造建築物に強度の振動が負荷されても損壊から免れることができるというものである。
【００１２】
即ち、本発明品の芯材をなすＥＰＤＭ等の硬質ゴムからなる弾性基材１１は、弾発力により衝撃を吸収し復元させるという緩衝効果があると共に、耐老化性に優れているので、長期に亘り使用しても有効に弾発緩衝力を維持することができ、又、前記弾性基材１１の内面側と外面側に一体に固着される高張力鋼等からなる補強板材１２は、前記弾性基材１１を保護すると共にこれに剛性を付与して、柱構造材Ａ−１と梁、桁構造材Ａ−２との接合を強力にバックアップすることができる。
従って、木造建築物の柱構造材Ａ−１と梁、桁構造材Ａ−２とが交差する個所の鉛直方向や水平方向に揺動が加わり、弾性基材１１の変形量が大きくなってもこれを吸収する緩衝効果と弾性復元力の起生により、長期に亘り木造建築物の損壊を防止することができるものである。
【００１３】
【実施例】
本発明で用いる硬質ゴム製の弾性基材１１は、未加硫ゴムに多量の無機質充填材を配合したもの、或いは、加硫剤によって加硫したゴムであり、特に、ＥＰＤＭやこれを加硫したものは、弾発性は勿論のこと、熱安定性や耐老化性にも優れているので、本発明の耐震補強材１として好適に使用される。
【００１４】
一方、図１、図２に示すように、前記弾性基材１１の内面側に一体に固着される内側補強板材１２１、及び、外面側に一体に固着される外側補強板材１２２は、何れも、抗張力、耐蝕性において格段に優れる高張力鋼よりなるが、強度をそれ程要求しない場合にあっては、ステンレス鋼であってもよい。
【００１５】
本発明の耐震補強材１を製造するには、図３に示すように、角隅角を９０゜に形成した角隅部１１１を有し、且つ、補強板材１２の肉厚相当の窪みを形成した内側板材受部１１２及び外側板材受部１１２′と、この内側板材受部１１２と外側板材受部１１２′間に貫通する挿通孔１１３を有する弾性基材１１の内外面に、上記挿通孔１１３に符合する締着孔１２３を有する内側補強板材１２１と外側補強板材１２２とを熱間融着し、又は、接着剤を介し接着して、前記弾性基材１１と補強板材１２間を一体に固着して製造する。
又は、キャスティング成形型内に、予め内側補強板材１２１と外側補強板材１２２とをセッティングしておき、キャスティング成形法により型内に硬質ゴムを注入して、弾性基材１１と補強板材１２とを一体化した後、弾性基材１１に挿通孔１１３を穿設して、図１に示すような本発明の耐震補強材１を製造する。
【００１６】
なお、前記内側補強板材１２１の折曲部１１１は折曲角９０゜に設定されるが、外側補強板材１２２の折曲角は、弾性基材１１の肉厚が角隅部１１１方向に向かって肉厚に設定される場合には、必然的に９０゜より鈍角に設定され、又、外側補強板材１２２に穿設する締着孔１２３は長孔に形成して、ボルト１３の締着に際して融通性をもたせるようにすることが好ましい。
【００１７】
上述の本発明品を、交差する柱構造材Ａ−１と梁、桁構造材Ａ−２の相互間に固着するには、図４に示すように、Ｌ字状の耐震補強材１の内面側、即ち、内側補強板材１２１側を柱構造材Ａ−１と梁、桁構造材Ａ−２に当接し、外側補強板材１２２に形成した締着孔１２３から、ワッシャーを介してボルト１３によって締着することにより、極めて簡単、且つ、確実に取付けることができる。
【００１８】
本発明により、ＥＰＤＭ等の硬質ゴムからなる弾性基材は、弾発力により衝撃を吸収し復元させるという緩衝性と耐老化性に優れている共に、前記弾性基材に一体に固着される補強板材により弾性基材が保護され、且つ、弾性基材に剛性が付加されることにより、木造建築物の柱構造材と梁、桁構造材の交差個所の鉛直方向や水平方向に衝撃が加わり、弾性基材の変形量が大きくなっても、これが吸収されて、木造建築物の耐震性能が維持される。
【００１９】
即ち、硬質ゴム製の弾性基材が有する弾発緩衝効果と、補強板材が有する機械的強度との相乗効果により、交差する柱構造材と梁、桁構造材の相互間の接合が強化されて、地震や台風等により木造建築物に強度の振動が負荷されても、損壊から免れることができるものである。
【図面の簡単な説明】
【図１】本発明の耐震補強材を示す斜視図である。
【図２】図１のＸ−Ｘ線矢視断面図である。
【図３】本発明品を示す展開斜視図である。
【図４】本発明品の使用状態を示す斜視図である。
【図５】従来例を示す斜視図である。
【符号の説明】
１        耐震補強材
１１      弾性基材
１１１    折曲部
１１２    内側板材受部
１１２′  外側板材受部
１１３    挿通孔
１２      補強板材
１２１    内側補強板材
１２２    外側補強板材
１２３    締着孔
１３      ボルト
Ａ−１    柱構造材
Ａ−２    梁、桁構造材
【図１】
0004763180.tif 000002
【図２】
0004763180.tif 000003
【図３】
0004763180.tif 000004
【図４】
0004763180.tif 000005
【図５】
0004763180.tif 000006